(57)【要約】  表示輝度及び色調を調整するためのメカニカルな機構の駆動制御を不要であると共に耐久性に優れ、高精度な画像を表示できる画像表示装置を提供することにある。画像表示装置（１）は、運転者の状態を検出する運転者状態検出部（１２）と、運転者状態検出部（１２）により検出した運転者の状態に基づいて、予め用意された原画像情報を調整するためのパラメータを設定するパラメータ設定部（１３）と、パラメータ設定部（１３）により設定したパラメータに基づいて、原画像情報を調整して、表示する画像の画像情報を生成する画像情報生成部（１５）と、画像情報生成部（１５）により生成した画像情報に基づいて、光源からの光を変調する画像形成部（１８）と、を有する。
2016152637.tif 000002
【特許請求の範囲】
【請求項１】
ユーザの状態を検出するユーザ状態検出部と、  前記ユーザ状態検出部により検出した前記ユーザの状態に基づいて、予め用意された原画像情報を調整するためのパラメータを設定するパラメータ設定部と、  前記パラメータ設定部により設定した前記パラメータに基づいて、前記原画像情報を調整して、表示する画像の画像情報を生成する画像情報生成部と、  前記画像情報生成部により生成した前記画像情報に基づいて、光源からの光を変調する画像形成部と、  を有する画像表示装置。
【請求項２】
前記画像形成部は、  前記画像情報生成部が生成した前記画像情報に基づいて、前記光を位相変調してホログラム回折光を生成する、  請求項１記載の画像表示装置。
【請求項３】
前記パラメータは、  前記原画像情報が示す画像の形状、輝度、使用ピクセル数および階調の少なくとも一つを設定するものである、  請求項１又は請求項２に記載の画像表示装置。
【請求項４】
前記パラメータ設定部は、  前記画像内に規定された複数の画像ブロック毎に前記パラメータを設定し、  前記画像情報生成部は、  前記パラメータ設定部により前記複数の画像ブロック毎に設定した前記パラメータに基づいて、前記原画像情報を調整する、  請求項１から請求項３の何れかに記載の画像表示装置。
【請求項５】
前記画像形成部は、  前記画像情報生成部により生成した前記画像情報に基づいて、前記光を変調して前記複数の画像ブロック毎に異なるタイミングで前記変調を行う、  請求項４記載の画像表示装置。
【請求項６】
前記パラメータ設定部は、  前記画像形成部により生成する前記画像の画質評価値が所定の基準を満たさない場合に、前回と異なる前記パラメータを設定する、  請求項１から請求項５の何れかに記載の画像表示装置。
【請求項７】
前記画質評価値は、  前記画像における赤の輝度、緑の輝度、及び、青の輝度の少なくともいずれかから得られる値である、  請求項６記載の画像表示装置。 
【発明の詳細な説明】
【技術分野】
【０００１】  本発明は、例えばヘッドアップディスプレイ等の画像表示装置に関するものである。
【背景技術】
【０００２】  近年、ホログラフィック光学素子を用いて、車両のウィンドウシールドに表示画像を投影することにより、運転者に表示画像の虚像を視認させるヘッドアップディスプレイが知られている。【０００３】  かかるヘッドアップディスプレイでは、図７に示すように、運転者が正面から虚像を見る場合、運転者が視認する虚像の輝度Ｋ１は均一である。一方、運転者が左側から虚像を見る場合、運転者が視認する虚像の輝度Ｋ２は右に行くほど大きくなる。また、運転者が右側から虚像を見る場合、運転者が視認する虚像の輝度Ｋ３は左に行くほど大きくなる。このように、運転者は、虚像を視認する際に、運転者の姿勢又は体格等により異なる輝度の虚像を視認することとなる。【０００４】  特許文献１は、ヘッドアップディスプレイに関し、表示器と表示器から発せられた光を反射する光反射部とを一体化すると共に、光反射部の角度を調整して、運転者の視認可能な領域に光を回折させる角度調整機構を備える構成を開示する。かかるヘッドアップディスプレイでは、運転者の視線位置の変化に基づいて、ホログラム素子を用いた光反射部の角度を変更することができ、運転者の視認位置に回折光を回折させられるため、運転者の姿勢又は体格等に関わらず表示輝度と色調とを一定に保持することができる。
【先行技術文献】
【特許文献】
【０００５】
【特許文献１】特開平１０−２７８６３０号公報
【発明の概要】
【発明が解決しようとする課題】
【０００６】  しかしながら、特許文献１においては、メカニカルな機構で表示輝度及び色調を調整するようにしているため、機構の駆動制御が複雑になると共に、機械的な寿命を考慮しなければならないという不利益がある。また、特許文献１においては、車両に用いた場合、曲率を有するフロントウィンドウに虚像を投影する必要があるため、メカニカルな機構により虚像の投影角度を変化させた場合、投影した虚像に歪を生じるという不利益がある。【０００７】  本発明はかかる事情に鑑みてなされたものであり、その目的は、表示輝度及び色調を調整するためのメカニカルな機構の駆動制御を不要であると共に耐久性に優れ、ユーザの状態に適した高精度な画像を表示できる画像表示装置を提供することにある。
【課題を解決するための手段】
【０００８】  本発明の画像表示装置は、ユーザの状態を検出するユーザ状態検出部と、前記ユーザ状態検出部により検出した前記ユーザの状態に基づいて、予め用意された原画像情報を調整するためのパラメータを設定するパラメータ設定部と、前記パラメータ設定部により設定した前記パラメータに基づいて、前記原画像情報を調整して、表示する画像の画像情報を生成する画像情報生成部と、前記画像情報生成部により生成した前記画像情報に基づいて、光源からの光を変調する画像形成部と、を有するものである。【０００９】  この構成によれば、ユーザの状態を検出し、その検出結果に基づいて設定したパラメータに基づいて原画像情報を調整することにより、メカニカルな機構を用いずに画像の表示輝度及び色調を調整すると共に画像の多様な調整を可能できる。これにより、ユーザの状態に適した高画質な画像を提供できる。【００１０】  好適には本発明の画像表示装置は、前記画像形成部が、前記画像情報生成部が生成した前記画像情報に基づいて、前記光を位相変調してホログラム回折光を生成する。【００１１】  この構成によれば、ユーザの状態を検出し、その検出結果に基づいて設定したパラメータに基づいて原画像情報を調整することにより、メカニカルな機構を用いずに表示輝度及び色調を調整したホログラム回折光を得て、得られたホログラム回折光により虚像を表示できる。【００１２】  好適には本発明の画像表示装置は、前記パラメータが、前記原画像情報が示す画像の形状、輝度、使用ピクセル数および階調の少なくとも一つを設定するものである。【００１３】  この構成によれば、原画像情報が示す画像の形状、輝度、使用ピクセル数および階調の少なくとも一つを設定するパラメータにより原画像情報を調整することにより、原画像情報の多様な属性を調整して、高精度な画像表示を可能にする。【００１４】  好適には本発明の画像表示装置は、前記パラメータ設定部が、前記画像内に規定された複数の画像ブロック毎に前記パラメータを設定し、前記画像情報生成部が、前記パラメータ設定部により前記複数の画像ブロック毎に設定した前記パラメータに基づいて、前記原画像情報を調整するものである。【００１５】  この構成によれば、画像ブロック毎にパラメータを設定して画質を調整することにより、画像ブロック毎に異なる調整を行って、より高精度な表示を可能にする。【００１６】  好適には本発明の画像表示装置は、前記画像形成部が、前記画像情報生成部により生成した前記画像情報に基づいて、前記光を変調して前記複数の画像ブロック毎に異なるタイミングで前記画像を変調するものである。【００１７】  この構成によれば、異なるタイミングで画像を表示する画像ブロック毎にパラメータを設定して画質を調整することを可能にする。【００１８】  好適には本発明の画像表示装置は、前記パラメータ設定部が、前記画像形成部により生成する前記画像の画質評価値が所定の基準を満たさない場合に、前回と異なる前記パラメータを設定するものである。【００１９】  この構成によれば、画像の画質評価値が所定の基準を満たすまでパラメータを変更することにより、）良好な画質の画像を生成して表示する。【００２０】  好適には本発明の画像表示装���は、前記画質評価値が、前記画像における赤の輝度、緑の輝度、及び、青の輝度の少なくともいずれかから得られる値である。【００２１】  この構成によれば、画像における赤の輝度、緑の輝度、及び、青の輝度が良好な画像を表示する。
【発明の効果】
【００２２】  本発明によれば、表示輝度及び色調を調整するためのメカニカルな機構の駆動制御が不要であると共に耐久性に優れ、高精度な画像を表示できる画像表示装置を提供できる。
【図面の簡単な説明】
【００２３】
【図１】本発明の実施形態に係る画像表示装置１の機能ブロック図である。
【図２】図１に示す運転者状態検出部から出力される位置情報及び図１に示すパラメータメモリに記憶されているテーブルを示す図である。
【図３】本発明の実施形態の画像表示装置により表示する画像内に規定された複数の画像ブロックを示す図である。
【図４】本発明の実施形態の画像表示装置の動作を示すフロー図である。
【図５】本発明の実施形態の画像表示装置の動作を示す概念図である。
【図６】運転者が虚像を視認する原理を説明する図である。
【図７】運転者の位置に応じた輝度を示す図である。
【発明を実施するための形態】
【００２４】  以下、本発明の実施形態に係る画像表示装置について説明する。  ＜画像表示装置の構成＞  本発明の実施形態に係る画像表示装置１の構成につき、図１乃至図３を参照しながら、以下に詳細に説明する。  画像表示装置１は、ヘッドアップディスプレイであり、運転者（ユーザ）の状態に応じた適切な画像を提供する。
【００２５】  本発明の実施の形態の画像表示装置１は、車両（移動体）に搭載されて用いられる。画像表示装置１は、図１に示すように、パラメータメモリ１１と、運転者状態検出部１２と、パラメータ設定部１３と、画像メモリ１４と、画像情報生成部１５と、発光制御部１６と、発光部１７と、画像形成部１８と、フーリエ変換レンズ１９と、受光部２０と、光拡散部２１と、光反射部２２と、を有している。
【００２６】  パラメータメモリ１１は、図２に示すパラメータ選択テーブルを記憶している。  パラメータ選択テーブルは、図２（ｂ）に示すように、顔の位置情報ｋ１に対応付けられた、画像の形状ｋ２、輝度ｋ３、使用ピクセル数ｋ４及び階調ｋ５を設定するパラメータを格納している。
【００２７】  画像の形状を設定するパラメータは、回転（Ｒｏｔａｔｉｏｎ）ｋ２１、方向（Ｄｉｒｅｃｔｉｏｎ）ｋ２２及び歪み（Ｄｉｓｔｏｒｔｉｏｎ）ｋ２３を設定するパラメータである。また、画像の輝度ｋ３を設定するパラメータは、変更する画像ブロックｋ３１、輝度増加率ｋ３２及びＡＰＣ輝度ｋ３３を設定するパラメータである。  上記パラメータテーブルは、例えば、事前に実測により、パラメータを変更しながら画質を調整して決定される。
【００２８】  運転者状態検出部１２は、運転者の顔の位置を検出し、検出した顔の位置を示す位置情報をパラメータ設定部１３に出力する。運転者状態検出部１２は、例えばカメラで運転者を撮影した画像を解析することにより運転者の顔の位置を検出する。ここで、顔の位置情報ｋ１は、図２（ａ）に示すように、３軸直交座標系のｘ、ｙ、ｚ軸における、ｘ軸上の位置ｋ１１、ｙ軸上の位置ｋ１２及びｚ軸上の位置ｋ１３により特定される顔の位置の情報である。  また、運転者状態検出部１２は、運転者の眼球の動きを特定し、視線方向を検出するようにしてもよい。
【００２９】  パラメータ設定部１３は、パラメータメモリ１１に記憶しているパラメータ選択テーブルを参照して、運転者状態検出部１２から入力した位置情報の位置に対応付けられているパラメータを、複数の画像ブロック毎に選択して設定する。
【００３０】  パラメータ設定部１３は、受光部２０から入力した信号に基づいて、表示する画像の画質の画質評価値を求める。パラメータ設定部１３は、求めた画質評価値が所定の基準を満たさない場合、パラメータメモリ１１に記憶しているパラメータ選択テーブルを参照して、運転者状態検出部１２から入力した位置情報の位置に対応付けられているパラメータのうち、前回設定したパラメータと異なるパラメータを、複数の画像ブロック毎に選択して設定する。  ここで、表示する画像は、図３に示すように、画像内に規定された表示位置が異なる複数の画像ブロック０，１，２により構成されている。
【００３１】  パラメータ設定部１３は、設定したパラメータを画像情報生成部１５に出力する。
【００３２】  画像メモリ１４は、表示画像の原画像情報を予め用意して記憶している。原画像情報は、例えばＪＰＥＧ(Joint Photographic Experts Group)画像情報である。
【００３３】  画像情報生成部１５は、画像メモリ１４に記憶している原画像情報を読み出して、パラメータ設定部１３から入力した複数の画像ブロック毎に設定されたパラメータにより、読み出した原画像情報を画像ブロック毎に調整して、表示する画像の画像情報を生成する。画像情報生成部１５は、生成した画像情報を画像形成部１８に出力する。  当該調整は、パラメータに規定される画像の形状、輝度、使用ピクセル数、階調Ｒ／Ｇ／Ｂについて行われる。
【００３４】  発光制御部１６は、受光部２０から入力した光強度に応じた信号に基づいて、光強度が指定された光強度になるように発光部１７の出力をフィードバック制御する。
【００３５】  光源である発光部１７は、例えば、虚像表示のためのＲ（赤）とＧ（緑）とＢ（青）との３つのレーザダイオード（ＬＤ）で構成されている。発光部１７は、各レーザからの光を画像形成部１８に照射する。発光部１７のレーザの光出力は、発光制御部１６によって制御される。なお、レーザの数は特に限定されない。
【００３６】  画像形成部１８は、画像情報生成部１５から入力した画像情報に基づいて、発光部１７から入射した光を位相変調してホログラム回折光を生成する。画像形成部１８は、生成したホログラム回折光をフーリエ変換レンズ１９に照射する。  画像情報生成部１５から画像形成部１８に関する一連の流れは、複数の画像ブロックが連続した異なるタイミングで供給される。  画像形成部１８は、複数の画像ブロック毎に連続した異なるタイミングで、画像ブロックを変調してホログラム回折光を得て、これをフーリエ変換レンズ１９に照射する。
【００３７】  画像形成部１８は、画像表示画面となる。画像形成部１８は、例えば、ＬＣＯＳ（Liquid Crystal on Silicon）である。
【００３８】  ここで、ＬＣＯＳは、一般的にはシリコンのＣＭＯＳ基板上にマトリクス状にＭＯＳ型トランジスタや画素電極を設け、このＣＭＯＳ基板と対向配置した基板の画素電極対向面に光学的に透明の共通電極を設け、これら２枚の基板間に封入された液晶層からなる反射型液晶表示素子である。
【００３９】  なお、画像形成部１８は、ＬＣＯＳに変えて透過型ＬＣＤ等を用いてもよい。
【００４０】  フーリエ変換レンズ１９は、画像形成部１８からのホログラム回折光をフーリエ変換して光拡散部２１に結像させる。
【００４１】  受光部２０は、フォトダイオード（ＰＤ）であり、光拡散部２１の周囲に設けられ、画像情報生成部１５で生成された画像情報に含まれる輝度調整用画像情報に応じた輝度調整画像が照射される位置に設けられている。受光部２０は、受光した光強度に応じた信号を発光制御部１６に出力する。
【００４２】  光拡散部２１は、フーリエ変換レンズ１９を介して入射したホログラム回折光を光拡散させる。  光拡散部１７は、例えば、ディスク状で透過型の光学部品（光学素子）を有している。当該光学部品のうち、光路を横断する光学面を光が透過する際に、場所によって約λ／２程度の光路差（位相差）が発生する。当該光部品は、光軸にほぼ平行な軸を中心に回転駆動される。光拡散部１７により、視認され画質劣化の要因となる光の干渉性のスペクトルノイズが抑制される。
【００４３】  光反射部２２は、拡大ミラーからなり、光拡散部２１からの光拡散された光を拡大・歪補正を行ってウィンドウシールドガラスに投影する。ウィンドウシールドガラスは、車両のフロントガラスとして設けられている。
【００４４】  光反射部２２は、光拡散部２１からの光に応じた表示像を拡大および歪補正を行って、ウィンドウシールドガラス５１に向けて投影し、この表示像を運転者の目５５の方向に反射させることによって当該表示像を、図６に示すように虚像５７として運転者の前方に結像させて運転者に表示像を視認させる。
【００４５】  ＜画像表示装置の動作＞  本発明の実施形態に係る画像表示装置１の動作につき、図４乃至図６を参照しながら、以下に詳細に説明する。  図４は、本発明の実施形態の画像表示装置１の動作を示すフロー図である。
【００４６】  まず、画像情報生成部１５は、画像ブロック毎に原画像情報を画像メモリ１４から読み込む（Ｓ１）。
【００４７】  次に、パラメータ設定部１３は、パラメータメモリ１１に記憶しているパラメータ選択テーブルを参照して、運転者状態検出部１２から入力した運転者の状態としての運転者の顔の位置を示す位置情報と、表示する画像ブロックと、に対応するパラメータを選択して設定する（Ｓ２）。
【００４８】  次に、画像情報生成部１５は、画像メモリ１４に記憶している原画像情報を読み出して取得し、図５に示すステップＳ１２においてパラメータ設定部１３から取得したパラメータにより、図５に示すＳ１１において取得した原画像情報を調整して、表示する画像の画像情報を生成する（Ｓ３）。  画像情報生成部１５は、図５に示すステップＳ１３においてパラメータ設定部１３から取得したパラメータに基づいて、原画像情報の振幅Ｇ０（ｘ、ｙ）を上書きする。これにより、画像情報生成部１５は、赤（Ｒ）の強度、緑（Ｇ）の強度及び青（Ｂ）の強度等を変更する。
【００４９】  次に、画像形成部１８は、図４に示すように、画像情報生成部１５から入力した画像情報に基づいて、発光光１７からの光を位相変調してホログラム回折光を生成してフーリエ変換レンズ１９に照射する（Ｓ４）。そして、受光部２０は、フーリエ変換レンズ１９からの光を受光する（Ｓ４）。
【００５０】  そして、光拡散部２１は、ホログラム回折光を拡散する。また、光反射部２２は、図６に示すように、光拡散部２１からの光拡散された光線を拡大及び指向してウィンドウシールドガラス５１に投影する。
【００５１】  光反射部２２からウィンドウシールドガラス５１に投射された光は、ウィンドウシールドガラス５１で反射して運転者（搭乗者）の視点５５に到達する。運転者は、ウィンドウシールドガラス５１の前方の地点において、光反射部２２からの光に応じた画像を拡大した虚像（虚像表示像）５７として視認することができる。
【００５２】  ここで、画像形成部１８の表示面と、光拡散部２１の拡散領域上に形成される画像と、虚像５７と、は共役関係にある。
【００５３】  また、パラメータ設定部１３は、図４に示すように、表示する画像の画質評価値を求め、求めた画質評価値が基準値より大きいか否かを判定する（Ｓ５）。具体的には、パラメータ設定部１３は、赤（Ｒ）の輝度、緑（Ｇ）の輝度、及び、青（Ｂ）の輝度により求まる画質評価値であるＲ／Ｇ／Ｂ比が閾値より大きいか否かを判定する。
【００５４】  具体的には、パラメータ設定部１３は、図５に示すように、画像情報生成部１５が生成した画像情報にランダム位相を付与し（Ｓ１４）、逆フーリエ変換（ｈｎ´（ｘ´，ｙ´）＝ＦＴ−１［ｇｎ−１（ｘ，ｙ）］）を行い（Ｓ１５）、振幅を規格化（ｈｎ（ｘ´，ｙ´）＝ｈｎ´（ｘ´，ｙ´）／｜ｈｎ´（ｘ´，ｙ´）｜）を行い（Ｓ１６）、フーリエ変換ｇｎ´（ｘ，ｙ）＝ＦＴ［ｈｎ（ｘ´，ｙ´）］を行う（Ｓ１７）。  そして、パラメータ設定部１３は、ステップ１７で得られた画像について上述した画質評価を行う。
【００５５】  パラメータ設定部１３は、画質評価値が閾値より大きい場合（Ｓ５：Ｙｅｓ）、画質評価値は基準を満たしているため画質は良いものと判断して、設定したパラメータを変更しない。
【００５６】  一方、パラメータ設定部１３は、図４に示すように、画質評価値が閾値以下の場合（Ｓ５：Ｎｏ）、画質評価値は基準を満たしていないため画質は悪いものと判断して、図５に示すＳ１３においてパラメータメモリ１１に記憶しているパラメータ選択テーブルを参照して、運転者状態検出部１２から入力した位置情報の位置に対応付けられているパラメータのうち、前回設定したパラメータと異なるパラメータを、複数の画像ブロック毎に選択して設定する（Ｓ２）。
【００５７】  このように、本実施の形態によれば、運転者の状態を検出する運転者状態検出部１２と、運転者状態検出部１２により検出した運転者の状態に基づいて、予め用意された原画像情報を調整するためのパラメータを設定するパラメータ設定部１３と、パラメータ設定部１３により設定したパラメータに基づいて、原画像情報を調整して、表示する画像の画像情報を生成する画像情報生成部１５と、画像情報生成部１５により生成した画像情報に基づいて、光源からの光を変調して画像を生成して表示する画像形成部１８と、を有することにより、運転者の状態を検出し、その検出結果に基づいて設定したパラメータに基づいて原画像情報を調整するので、メカニカルな機構を用いずに画像の表示輝度及び色調を調整すると共に画像の多様な調整を可能にする。これにより、運転者の頭の位置が異なっても、当該運転者に対して高画質な画像を提供できる。
【００５８】  また、本実施の形態によれば、画像形成部１８は、画像情報生成部１５が生成した画像情報に基づいて、光を位相変調してホログラム回折光を生成するため、運転者の状態を検出し、その検出結果に基づいて設定したパラメータに基づいて原画像情報を調整することができるので、メカニカルな機構を用いずに表示輝度及び色調を調整したホログラム回折光を得て、得られたホログラム回折光により虚像を表示できる。
【００５９】  また、本実施の形態によれば、パラメータが、原画像情報が示す画像の形状、輝度、使用ピクセル数および階調の少なくとも一つを設定するものであることにより、原画像情報が示す画像の形状、輝度、使用ピクセル数および階調の少なくとも一つを設定するパラメータにより原画像情報を調整するので、原画像情報の多様な属性を調整して、高精度な画像表示が可能である。
【００６０】  また、本実施の形態によれば、パラメータ設定部１３が、画像内に規定された複数の画像ブロック毎にパラメータを設定し、画像情報生成部１５が、パラメータ設定部１３により複数の画像ブロック毎に設定したパラメータに基づいて、原画像情報を調整することにより、画像ブロック毎にパラメータを設定して画質を調整するので、画像ブロック毎に異なる調整を行って、より高精度な表示が可能である。
【００６１】  また、本実施の形態によれば、画像形成部１８が、画像情報生成部１５により生成した画像情報に基づいて、光を変調して複数の画像ブロック毎に異なるタイミングで画像を表示することにより、異なるタイミングで画像を表示する画像ブロック毎にパラメータを設定して画質を調整することが可能である。
【００６２】  また、本実施の形態によれば、パラメータ設定部１３が、画像形成部１８により生成した画像の画質評価値が所定の基準を満たさない場合に、前回と異なるパラメータを設定することにより、画像の画質評価値が所定の基準を満たすまでパラメータを変更することにより、良好な画質の画像を表示できる。
【００６３】  また、本実施の形態によれば、評価値が、画像における赤の輝度、緑の輝度、及び、青の輝度により求まる値であることにより、画像における赤の輝度、緑の輝度、及び、青の輝度が良好な画像を表示できる。
【００６４】  本発明は上述した実施の形態には限定されない。  すなわち、当業者は、本発明の技術的範囲またはその均等の範囲内において、上述した実施の形態の構成要素に関し、様々な変更、コンビネーション、サブコンビネーション、並びに代替を行ってもよい。
【００６５】  具体的には、画像表示装置１は、車両に搭載されてフロントウィンドウに画像を表示する場合に限らず、車両以外の室内等に設置されて窓に画像を表示するようにしてもよい。
【００６６】  また、図２に示すパラメータ選択テーブルは一例であって、図２に示すパラメータ選択テーブルに格納されているパラメータ以外のパラメータを格納したパラメータ選択テーブルを用いて、パラメータを設定してもよい。
【００６７】  また、上述した実施形態では、本発明をヘッドアップディスプレイに適用し、本発明のユーザとして運転者を例示したが、車両以外のディスプレイに適用してもよい。
【００６８】  また、図３に示す画像ブロックの形状及び数は任意である。  また、図５に示す画像の画質を評価するフィードバック処理については行わなくてもよい。
【産業上の利用可能性】
【００６９】  本発明は、例えばヘッドアップディスプレイ等に適用可能である。
【符号の説明】
【００７０】  １  画像表示装置  １１  パラメータメモリ  １２  運転者状態検出部  １３  パラメータ設定部  １４  画像メモリ  １５  画像情報生成部  １６  発光制御部  １７  発光部  １８  画像形成部  １９  フーリエ変換レンズ  ２０  受光部  ２１  光拡散部  ２２  光反射部  ５１  ウィンドウシールドガラス  ５５  視点  ５７  虚像 
【図１】
2016152637.tif 000003
【図２】
2016152637.tif 000004
【図３】
2016152637.tif 000005
【図４】
2016152637.tif 000006
【図５】
2016152637.tif 000007
【図６】
2016152637.tif 000008
【図７】
2016152637.tif 000009
【国際調査報告】
2016152637.tif 000010
2016152637.tif 000011
2016152637.tif 000012
2016152637.tif 000013